(57)【要約】      （修正有）【課題】衣服用ファンを確実に支持し、衣服用ファン本来の空調能力を十分に発揮させることが可能な衣服用ファン取付用ワッペンを提供する。【解決手段】それぞれ基層１５、１６と、熱融着性接着剤層１７、１８と、を積層してなり、略中央に孔を有する略環状の外側布１Ａ及び内側布１Ｂを具備し、外側布１Ａと内側布１Ｂが、それぞれの接着剤層を対向しつつ、孔の端縁近傍で接続されている。【選択図】図３
0003218429.tif 000002
【実用新案登録請求の範囲】
【請求項１】
それぞれ基層と熱融着性接着剤層とを積層してなり、略中央に孔を有する略環状の外側布及び内側布を具備し、
前記外側布と前記内側布が、それぞれの前記接着剤層を対向しつつ、前記孔の端縁近傍で接続されていること、
を特徴とする衣服用ファン取付用ワッペン。
【請求項２】
前記外側布が、前記下側布より厚く構成されていること、
を特徴とする請求項１に記載の衣服用ファン取付用ワッペン。
【請求項３】
請求項１又は２に記載の衣服用ファン取付用ワッペンを具備すること、
を特徴とする衣服。
【考案の詳細な説明】
【技術分野】
【０００１】
本考案は、衣服用ファンを衣服に装着可能とする衣服用ファン取付用ワッペン及びこれを具備する衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが非常に重要であり、処置が遅れると死に至る可能性もある。
【０００３】
上記のような熱中症対策及び快適な作業環境を提供するために、身体を冷却しつつ作業や運動を可能とする空調衣服が知られるようになってきている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【０００４】
使用者は空調衣服を着用することにより、衣服と身体の間に外気を取り込むことができ、発汗による気化熱を奪って好適に身体を冷却可能なため一般的に利用が広まってる。また、一部では衣服用ファンを任意の衣服に装着可能とするものも提供されており、利便性の向上が図られている。
【先行技術文献】
【特許文献】
【０００５】
【特許文献１】国際公開第０２／０６７７０８号パンフレット
【考案の概要】
【考案が解決しようとする課題】
【０００６】
しかしながら、従来の空調衣服は、衣服用ファンが所定の重量を有するため、一般的な生地で構成された衣服では十分な支持が行えず、衣服用ファン近傍が垂れる及び衣服用ファンが脱落する等の問題があった。
【０００７】
即ち、従来の空調衣服の構造に着目すると、衣服用ファンを確実に支持するには衣服の生地の厚さ及び強度が十分でないことは明らかであって、未だ改善の余地があった。
【０００８】
本考案は、上記問題に鑑みて創作されたものであり、衣服用ファンを確実に支持し、衣服用ファン本来の空調能力を十分に発揮させることが可能な衣服用ファン取付用ワッペンの提供を目的とする。
【課題を解決するための手段】
【０００９】
上記の課題を解決すべく、本考案は、
それぞれ基層と、熱融着性接着剤層と、を積層してなり、略中央に孔を有する略環状の外側布及び内側布を具備し、
前記外側布と前記内側布が、それぞれの前記接着剤層を対向しつつ、前記孔の端縁近傍で接続されていること、
を特徴とする衣服用ファン取付用ワッペンを提供する。
【００１０】
また、上記の本考案の衣服用ファン取付用ワッペンにおいては、
前記外側布が、前記下側布より厚く構成されていることが望ましい。
【００１１】
このような構成を有する本考案の衣服用ファン取付用ワッペンによれば、外側布及び内側布から構成され、また外側布が芯を有しているため、衣服用ファンを確実に支持することができる。また、衣服用ファンの支持状態を好適に維持することができるため、衣服用ファンを用いて理想的に空気を衣服内に移送することが可能となり、衣服用ファン本来の空調能力を十分に発揮させて高い身体冷却効果を得ることができる。
【００１２】
上記の課題を解決すべく、本考案は更に、
請求項１又は２に記載の衣服用ファン取付用ワッペンを具備すること、
を特徴とする衣服を提供する。
【００１３】
このような構成を有する本考案の衣服によれば、衣服用ファンを確実に支持し、かつ支持状態を好適に維持することができるため、衣服用ファンを用いて理想的に空気を衣服内に移送することが可能となり、高い身体冷却効果を得ることができる。
【考案の効果】
【００１４】
本考案によれば、衣服用ファンを確実に支持し、衣服用ファン本来の空調能力を十分に発揮させることが可能な衣服用ファン取付用ワッペンの提供を目的とする。
【図面の簡単な説明】
【００１５】
【図１】本考案の実施形態に係る衣服用ファン取付用ワッペン１を用いて衣服用ファン３を衣服５に装着した状態を示す模式図である。
【図２】本実施形態の衣服用ファン取付用ワッペン１の構造を示す図であって、図２（ａ）は、衣服用ファン取付用ワッペン１の平面図であり、図２（ｂ）は、衣服用ファン取付用ワッペン１の側面図である。
【図３】図１（ａ）における矢視Ａを示す図であって、図３（ａ）は、通常状態を示す断面図であり、図３（ｂ）は、外側布１Ａと内側布１Ｂを外周１１側から開いた状態を示す断面図である。
【図４】衣服５に対する衣服用ファン取付用ワッペン１の貼付け手順を示す図であって、図４（ａ）は、位置決めを示す模式図であり、図４（ｂ）は、裁断位置の印付けを示す模式図である。
【図５】衣服５に対する衣服用ファン取付用ワッペン１の貼付け手順を示す図であって、図５（ａ）は、衣服５を裁断する状態を示す模式図であり、図５（ｂ）は、衣服５に衣服用ファン取付用ワッペン１を取り付ける状態を示す模式図であり、図５（ｃ）は、図５（ｂ）における矢視Ｂの断面図である。
【図６】衣服５に対する衣服用ファン取付用ワッペン１の貼付け手順を示す図であって、図６（ａ）は、衣服用ファン取付用ワッペン１に加熱する状態を示す模式図であり、図６（ｂ）は、衣服５に対して衣服用ファン取付用ワッペン１の貼付けが完了した状態を示す模式図である。
【図７】衣服用ファン取付用ワッペン１を貼り付けた衣服５に衣服用ファン３を装着する方法を示す模式図である。
【考案を実施するための形態】
【００１６】
以下、図面を参照しながら、本考案の衣服用ファン取付用ワッペン及びこれを具備するファン付き衣服の代表的な実施形態を詳細に説明する。但し、本考案は図示されるものに限られるものではなく、各図面は本発明を概念的に説明するためのものであるから、理解容易のために必要に応じて大小や長短の比率や数量を誇張又は簡略化して表している場合もある。更に、以下の説明では、同一又は相当部分には同一符号を付し、重複する説明は省略することもある。
【００１７】
１．衣服用ファン取付用ワッペン１の概要
図１を用いて本実施形態の衣服用ファン取付用ワッペン１の概要について説明する。図１は、本考案の実施形態に係る衣服用ファン取付用ワッペン１を用いて衣服用ファン３を衣服５に装着した状態を示す模式図である。図１に示すように、本実施形態の衣服用ファン取付用ワッペン１は、使用者が任意に選択した衣服５に別途用意した衣服用ファン３をより安定して装着させるためのものである。
【００１８】
使用者は、高気温時における体温上昇を伴う作業又は運動を行う際に、衣服用ファン３を装着した衣服を着用することによって、衣服５と身体との間に外気を取込んで身体で温められた衣服５内の空気を強制的に入れ替えることができるため、身体を効率良く冷却することが可能である。
【００１９】
２．衣服用ファン取付用ワッペン１の構造
次に、図２及び図３を用いて本実施形態の衣服用ファン取付用ワッペン１の構造について詳細に説明する。図２は、本実施形態の衣服用ファン取付用ワッペン１の構造を示す図であって、図２（ａ）は、衣服用ファン取付用ワッペン１の平面図であり、図２（ｂ）は、衣服用ファン取付用ワッペン１の側面図である。また、図３は、図１（ａ）における矢視Ａを示す図であって、図３（ａ）は、通常状態を示す断面図であり、図３（ｂ）は、外側布１Ａと内側布１Ｂを外周１１側から開いた状態を示す断面図である。
【００２０】
図２及び図３に示すとおり衣服用ファン取付用ワッペン１は、それぞれ基層１５と、熱融着性接着剤層１７と、を積層してなり、略中央に孔１３を有する略環状の外側布１Ａ及び内側布１Ｂを具備し、外側布１Ａと内側布１Ｂが、それぞれの熱融着性接着剤層１７を対向しつつ、孔１３の端縁（内周）１２近傍で接続されることにより構成されている。
【００２１】
外側布１Ａは、略二層の断面構造を有しており、比較的熱に強いポリエステル等の合成繊維等で形成された生地からなる基層１５と、加熱によって基層１５と接着可能な熱融着性接着剤層１７と、を積層させることにより構成されている。なお、外側布１Ａは、基層１５を所定の厚さで形成する又は基層１５と熱融着性接着材層１７との間に平滑な芯材（図示せず）等を挟むことにより、形状安定性を持たせることが望ましい。
【００２２】
また、内側布１Ｂは、上記外側布１Ａと略同様に基層１６及び熱融着性接着剤層１８により構成されたものであるが、本実施形態では外側布１Ａと同様の芯等の芯材は有しておらず、基層１６は薄く構成されている。換言すると、本実施形態においては、外側布１Ａは、下側布１Ｂより厚く構成されている。
【００２３】
なお、孔１３は衣服用ファン３を挿入可能なサイズ及び形状で形成することが好ましい。これにより、衣服用ファン３の本体部３Ａを挿入して固定することができる。
【００２４】
また、熱融着性接着剤層１７（１８）はポリアミド等を用いて形成することが好ましい。熱融着性接着剤層１７（１８）をこのような態様とすることで、アイロンを用いた加熱等による高温環境下で溶融し、粘着力を発揮することができる。更に、ポリアミドは優れた耐水性を有することから、貼り付けた衣服５の繰り返し使用にも十分耐えることができる。
【００２５】
外側布１Ａと内側布１Ｂとは、互いの熱融着性接着剤層１７を対向させつつ中心を合わせて当接し、孔１３の端縁１２（略環状部分の内縁全周）に沿って保護刺繍９を施すことにより双方が接続されている。よって、図３（ｂ）に示すとおり、外側布１Ａと内側布１Ｂとは、外周１１から孔１３の端縁１２近傍まで自由に開閉することができ、当該開閉によって外側布１Ａと内側布１Ｂとの間に衣服５の生地を挟んで貼り付けることができる。なお、継続使用に伴う繊維の解れを防止する目的で外側布１Ａの外周１１にも保護刺繍９が施されている。
【００２６】
３．衣服用ファン取付用ワッペン１の使用方法
＜衣服５に対する衣服用ファン取付用ワッペン１の貼付け方法＞
次に、図４、図５及び図６を用いて、衣服５に対する衣服用ファン取付用ワッペン１の貼付け方法について詳細に説明する。なお、衣服５は使用者が任意に選択することが可能であり、種々の作業服や運動に適した衣服を用いることができる。
【００２７】
図４は、衣服５に対する衣服用ファン取付用ワッペン１の貼付け手順を示す図であって、図４（ａ）は、位置決めを示す模式図であり、図４（ｂ）は、裁断位置の印付けを示す模式図である。図５は、衣服５に対する衣服用ファン取付用ワッペン１の貼付け手順を示す図であって、図５（ａ）は、衣服５を裁断する状態を示す模式図であり、図５（ｂ）は、衣服５に衣服用ファン取付用ワッペン１を取り付ける状態を示す模式図であり、図５（ｃ）は、図５（ｂ）における矢視Ｂの断面図である。
【００２８】
更に、図６は、衣服５に対する衣服用ファン取付用ワッペン１の貼付け手順を示す図であって、図６（ａ）は、衣服用ファン取付用ワッペン１に加熱する状態を示す模式図であり、図６（ｂ）は、衣服５に対して衣服用ファン取付用ワッペン１の貼付けが完了した状態を示す模式図である。
【００２９】
図４（ａ）に示すとおり、まず衣服５を平滑な作業面に配置した状態で衣服用ファン３の装着位置を決定し、当該位置に衣服用ファン取付用ワッペン１を配置する。本実施形態では衣服用ファン取付用ワッペン１の貼り付け位置を腰部近傍の左右２箇所としている。
【００３０】
なお、衣服５背面内側に裁断部の縫い合わせ１９が存在する場合は、縫い合わせ１９と衣服用ファン取付用ワッペン１の外周１１との間に、略２〜２．５ｃｍの間隔を設けて衣服用ファン取付用ワッペン１を配置することが望ましい。また、縫い合わせ１９が存在しない場合は、その他の縫い目等に干渉しないよう略２ｃｍ程度の間隔を設けて衣服用ファン取付用ワッペン１を配置することが望ましい。更に、衣服５の下部縫い合わせ２１と衣服用ファン取付用ワッペン１の外周１１とは、略１５〜２０ｃｍの間隔を設けて衣服用ファン取付用ワッペン１を配置することが望ましい。
【００３１】
次に、図３（ｂ）に示すように、衣服用ファン取付用ワッペン１が位置ずれを起こさないよう確実に固定しつつ、鉛筆等の筆記用具２２を用いて孔１３沿いに裁断位置の印付けを行う。なお、衣服用ファン３は、ある程度の重量を有するため左右の印位置に大きなズレが生じないよう留意する必要がある。
【００３２】
続いて、図５（ａ）に示すとおり、一旦衣服用ファン取付用ワッペン１を衣服５から離し、鋏等の裁断具２３を用いて衣服５に付けた印の３〜５ｍｍ程度外側に沿って衣服５を裁断し、衣服用ファン取付用孔７を形成する。
【００３３】
図５（ｂ）及び（ｃ）に示すとおり、上記手順で形成した衣服用ファン取付用孔７に対し、衣服用ファン取付用ワッペン１を配設する。衣服用ファン取付用ワッペン１を衣服５の内側から衣服用ファン取付用孔７に接近させ、内側布１Ｂを開きつつ衣服用ファン取付用孔７から衣服５の外側に出す。このようにすることで外側布１Ａと内側布１Ｂとの間に衣服５の生地を挟んだ状態で衣服用ファン取付用ワッペン１を配設することができる（図５（ｃ）参照）。
【００３４】
次に図６（ａ）に示すように、加熱することにより衣服用ファン取付用ワッペン１を衣服５に貼り付ける。衣服５に直接熱源を当接させないため衣服用ファン取付用ワッペン１の上から当て布２５を被せ、上からアイロン等で衣服用ファン取付用ワッペン１を加熱する。温度は略１５０℃程度とし、衣服用ファン取付用ワッペン１を加圧しつつ２０秒程度加熱することが好ましい。衣服５に衣服用ファン取付用ワッペン１が確実に貼り付いていることを確認して手順が全て完了する（図６（ｂ）参照）。
【００３５】
＜衣服用ファン３の装着方法＞
続いて図７を用い、衣服用ファン取付用ワッペン１を貼り付けた衣服５に衣服用ファン３を装着する方法について詳細に説明する。図７は、衣服用ファン取付用ワッペン１を貼り付けた衣服５に衣服用ファン３を装着する方法を示す模式図である。本実施形態で用いる衣服用ファン３は、ファン機能を有する本体部３Ａと、この本体部３Ａが具備するフランジ部３Ｃと、フランジ部３Ｃと衣服用ファン取付用ワッペン１を挟持するリング部３Ｂと、から構成されたものであって、双方は螺子嵌合させることができる。
【００３６】
図７に示すように、衣服用ファン３を本体部３Ａと、リング部３Ｂと、に分解し、本体部３Ａの排気側を衣服５の外部側から衣服用ファン取付用ワッペン１の孔１３に挿入し、フランジ部３Ｃを外側布１Ａに当接する。続いて、リング部３Ｂを衣服５の内部側から本体部３Ａに被せつつ、リング部３Ｂとフランジ部３Ｃで衣服用ファン取付用ワッペン１を確実に挟持するまで双方を螺子嵌合させる。衣服用ファン３が衣服５から脱落しないことを確認し、衣服５に対する衣服用ファン３の装着が完了する。
【００３７】
本実施形態の衣服用ファン取付用ワッペン１は、上述のとおり外側布１Ａ及び内側布１Ｂから構成され、また外側布１Ａが芯を有しているため、衣服用ファン３を確実に支持することができる。また、衣服用ファン３の支持状態を好適に維持することができるため、衣服用ファン３で理想的に空気を衣服内に移送することが可能となり、高い身体冷却効果を得ることができる。
【００３８】
以上、本考案の代表的な実施形態について図面を参照しつつ説明してきたが、本考案は、これらの実施形態に限定されるものではなく、特許請求の範囲の記載の精神及び教示を逸脱しない範囲でその他の改良例、変形が存在することを当業者に容易に理解される。
【産業上の利用可能性】
【００３９】
本考案の衣服用ファン取付用ワッペン１は、衣服用ファン３を確実に支持し、衣服用ファン３本来の空調能力を十分に発揮させるものである。
【符号の説明】
【００４０】
１      衣服用ファン取付用ワッペン
１Ａ    外側布
１Ｂ    内側布
３      衣服用ファン
３Ａ    本体部
３Ｂ    リング部
３Ｃ    フランジ部
５      衣服
７      衣服用ファン取付用孔
９      保護刺繍
１１    外周
１２    端縁（内周）
１３    孔
１５    基層
１６    基層
１７    熱融着性接着剤層
１８    熱融着性接着剤層
１９    縫い合わせ
２１    下部縫い合わせ
２２    筆記用具
２３    裁断具
２５    当て布
２７    アイロン
【図１】
0003218429.tif 000003
【図２】
0003218429.tif 000004
【図３】
0003218429.tif 000005
【図４】
0003218429.tif 000006
【図５】
0003218429.tif 000007
【図６】
0003218429.tif 000008
【図７】
0003218429.tif 000009